(57)【要約】【課題】入力編集領域全体が小さい場合でも、入力編集における予測変換候補を適切に表示することができるテープ印刷装置およびテープ印刷装置の表示部の表示方法を提供すること。【解決手段】テープ印刷装置１は、印刷画像作成用に入力された文字列を表示する表示部２４と、入力された文字列の変換候補を表示部２４に表示する変換候補表示手段とを備え、変換候補は、入力された文字列のうち未確定文字から予測される予測変換候補である。【選択図】図４
2008296397.tif 000002
【特許請求の範囲】
【請求項１】
印刷画像作成用に入力された文字列を表示する表示部と、
入力された文字列の変換候補を前記表示部に表示する変換候補表示手段と、を備え、
前記変換候補は、入力された文字列のうち未確定文字列から予測される予測変換候補であることを特徴とするテープ印刷装置。
【請求項２】
前記表示部は、第１の表示領域と第２の表示領域とから構成され、
前記変換候補表示手段は、前記第１の表示領域および前記第２の表示領域のいずれかに前記予測変換候補を表示することを特徴とする請求項１に記載のテープ印刷装置。
【請求項３】
前記第１の表示領域は、入力編集中の文字列を表示させる入力編集領域であり、
前記第２の表示領域は、変換が確定した確定文字列の印刷レイアウトを表示させるレイアウト表示領域であり、
前記変換候補表示手段は、入力された文字列に未確定文字列がある場合に、前記予測変換候補を前記レイアウト表示領域に表示することを特徴とする請求項２に記載のテープ印刷装置。
【請求項４】
前記レイアウト表示領域に表示された予測変換候補の中から所望の候補を選択させて未確定の文字列を確定する確定手段と、
前記確定手段により未確定の文字列が確定された場合、前記レイアウト表示領域において、前記予測変換候補の表示から前記確定文字列の印刷レイアウトの表示に切替える切替手段を、更に備えたことを特徴とする請求項３に記載のテープ印刷装置。
【請求項５】
前記確定手段により確定された前記確定文字列に繋がる繋がり予測候補を表示する繋がり予測候補表示手段を、更に有し、
前記確定手段により前記予測変換候補の中から文字列が確定された後、前記切替手段により前記確定文字列の印刷レイアウトの表示に切替えるレイアウト表示モードと、前記繋がり予測候補表示手段により前記繋がり予測候補を表示する繋がり予測変換候補表示モードと、のいずれかのモードを設定するモード設定手段を、更に備えたことを特徴とする請求項４に記載のテープ印刷装置。
【請求項６】
印刷画像作成用に入力された文字列を表示する表示部に、入力された文字列の変換候補を表示するものであって、前記変換候補は、入力された文字列のうち未確定文字列から予測される予測変換候補であることを特徴とするテープ印刷装置の表示部の表示方法。
【請求項７】
前記表示部は、入力編集中の文字列を表示させる入力編集領域と変換が確定した確定文字列の印刷レイアウトを表示させるレイアウト表示領域とから構成され、入力された文字列に未確定文字列がある場合に、前記予測変換候補を前記レイアウト表示領域に表示することを特徴とする請求項６に記載のテープ印刷装置の表示部の表示方法。
【発明の詳細な説明】
【技術分野】
【０００１】
本発明は、入力編集における予測変換機能を備えたテープ印刷装置およびテープ印刷装置の表示部の表示方法に関する。
【背景技術】
【０００２】
従来、この種の予測変換機能を備えた携帯通信端末が知られている（特許文献１参照）。この携帯通信端末では、表示画面（入力編集画面）の下半部あるいは右半部に、入力された文字等から予測される予測変換候補を表示させている。なお、ここで予測変換機能とは、所望の文字列の読み仮名全てを入力しなくても、入力された文字列の一または数文字に一致する文字列を検索し、これを予測変換候補として表示するものである。
【０００３】
また、表示画面内において、入力編集中の文字列を表示する入力編集領域と、これに対応する印刷画像の印刷レイアウトを表示するレイアウト表示領域と、を備えたテープ印刷装置が知られている（特許文献２参照）。このテープ印刷装置では、入力編集領域に入力編集中の文字列を表示すると共に、テープ（ラベル）幅やテープ長に対する印刷画像の大きさや配置バランス等を確認できるように、レイアウト表示領域に、入力編集状況に伴って逐一印刷レイアウトを表示している。
【特許文献１】特開２００２−１０１１７８号公報
【特許文献２】国際公開第９６／０１６８１３号パンフレット
【発明の開示】
【発明が解決しようとする課題】
【０００４】
しかしながら、小型のＯＡ機器に属するテープ印刷装置は、表示画面自体も小さく、その中の入力編集領域内に、入力編集された文字等と、レイアウト表示と、予測変換候補とを併せて表示させることが難しい。これらを同時に表示させると、予測変換機能の表示領域を十分確保できず、このため、予測変換機能を使おうとすると、ユーザは、スクロール操作等を行って、複数の予測変換候補を確認することとなり、予測変換機能の使い勝手が悪いものとなる。
【０００５】
本発明は、表示画面内のレイアウト表示領域に着目してなされたものであり、入力編集領域全体が小さい場合でも、予測変換機能を有し、かつ入力編集における予測変換候補を適切に表示することができるテープ印刷装置およびテープ印刷装置の表示部の表示方法を提供することを課題とする。
【課題を解決するための手段】
【０００６】
本発明のテープ印刷装置は、印刷画像作成用に入力された文字列を表示する表示部と、入力された文字列の変換候補を表示部に表示する変換候補表示手段とを備え、変換候補は、入力された文字列のうち未確定文字列から予測される予測変換候補であることを特徴とする。
【０００７】
本発明のテープ印刷装置の表示部の表示方法は、印刷画像作成用に入力された文字列を表示する表示部に、入力された文字列のうち未確定文字列から予測される予測変換候補を表示することを特徴とする。
【０００８】
これらの構成によれば、入力された文字列のうち未確定文字列から予測される予測変換候補を表示部に表示するので、印刷画像作成における入力編集作業を簡単かつ効率良く行うことができる。なお、文字列には、仮名漢字、ローマ字、数字、絵文字等が含まれる。
【０００９】
本発明のテープ印刷装置の表示部は、第１の表示領域と第２の表示領域とから構成され、変換候補表示手段は、第１の表示領域および第２の表示領域のいずれかに予測変換候補を表示することが好ましい。
【００１０】
また、これらの場合、第１の表示領域は、入力編集中の文字列を表示させる入力編集領域であり、第２の表示領域は、変換が確定した確定文字列の印刷レイアウトを表示させるレイアウト表示領域であり、変換候補表示手段は、入力された文字列に未確定文字列がある場合に、予測変換候補をレイアウト表示領域に表示することが好ましい。
【００１１】
この場合、表示部は、入力編集中の文字列を表示させる入力編集領域と変換が確定した確定文字列の印刷レイアウトを表示させるレイアウト表示領域とから構成され、入力された文字列に未確定文字列がある場合に、予測変換候補をレイアウト表示領域に表示することが好ましい。
【００１２】
これらの構成によれば、変換が確定した確定文字列の印刷レイアウトを表示するレイアウト表示領域に、予測変換候補を表示するので、入力編集中の文字列の未確定文字と予測変換候補とを同時に表示することができる。このため、表示部全体が小さい場合であっても、表示領域を有効利用することができると共に、入力編集作業を促進させることができる。
【００１３】
この場合、レイアウト表示領域に表示された予測変換候補の中から所望の候補を選択させて未確定の文字列を確定する確定手段と、確定手段により未確定の文字列が確定された場合、レイアウト表示領域において、予測変換候補の表示から確定文字列の印刷レイアウトの表示に切替える切替手段を、更に備えたことが好ましい。
【００１４】
これらの構成によれば、予測変換候補の中から所望の候補を選択して未確定の文字列を確定手段により確定した（つまり、印刷画像を確定した）場合、レイアウト表示領域において、予測変換候補の表示から確定文字列の印刷レイアウトの表示に切替えるので、入力編集作業を簡単かつ効率良く行うことができると共に、候補表示を行なわない時は、レイアウト表示に切り替わるので、例えば、印刷テープのテープ幅やテープ長に対する印刷画像データの大きさ、配置バランスおよび余白領域を、印刷実行前に確認することができ、レイアウト表示機能が損なわれることがない。
【００１５】
また、これらの場合、確定手段により確定された確定文字列に繋がる繋がり予測候補を表示する繋がり予測候補表示手段を、更に有し、確定手段により予測変換候補から文字列が確定された後、切替手段により確定文字列の印刷レイアウトの表示に切替えるレイアウト表示モードと、繋がり予測候補表示手段により繋がり予測候補を表示する繋がり予測変換候補表示モードと、のいずれかのモードを設定するモード設定手段を、更に備えたことが好ましい。
【００１６】
この構成によれば、モード設定手段により、レイアウト表示モードと繋がり予測変換候補表示モードとのいずれかのモードを設定することができるので、作成対象の印刷画像に応じて最適なモードを選択し、入力編集作業を行うことができる。例えば、使用頻度の高い言葉を用いて印刷画像の入力編集を行う場合、繋がり予測変換候補表示モードを設定することにより、効率良く入力編集作業を行うことができる。逆に、使用頻度の低い言葉を用いて印刷画像の入力編集を行う場合、レイアウト表示モードを設定して、確実に入力編集作業を行い、次回以降の入力編集では、繋がり予測候補表示モードを選択して、効率良く入力編集作業を行うことができる。
【発明を実施するための最良の形態】
【００１７】
以下、添付の図面を参照して、本発明の実施形態に係るテープ印刷装置およびテープ印刷装置の表示部の表示方法について説明する。このテープ印刷装置は、予測変換機能を備えたものであり、入力編集された文字等から予測される予測変換候補をディスプレイに表示し、確定した印刷画像に基づいてラベルを作成するものである。
【００１８】
図１および図２に示すように、テープ印刷装置１は、処理テープ（印刷テープ）Ｔに対して印刷処理を行う装置本体１１と、処理テープＴおよびインクリボンＲを収容し、装置本体１１に着脱自在に装着されるテープカートリッジＣとを備えている。
【００１９】
装置本体１１は、装置ケース１２により外殻が形成され、装置ケース１２の前半部上面には、文字等を入力するための複数の文字入力キー１３と、各種選択および確定処理等を行うための複数の機能キー１５と、を備えたキーボード１７が配設されている。ここで、機能キー１５には、処理テープＴのテープ幅、テープ長および余白領域並びに文字等の書式等を設定する各種設定キー１５ａ、後述するディスプレイ２４に表示される選択肢を選択する上下（左右）キー１５ｂ、上記選択肢から文字列を印刷画像として確定する確定キー１５ｃ、入力編集中の文字等を削除する削除キー１５ｄ、印刷処理を実行するための印刷キー１５ｅ等が含まれる。
【００２０】
装置ケース１２の後半部左上面には、開閉蓋２１が広く設けられ、開閉蓋２１の上面には、テープカートリッジＣの装着／非装着を視認するための覗き窓２２が形成されていると共に、開閉蓋２１の前側にはこれを開放する蓋体開放ボタン２３が設けられている。後半部右上面には、キーボード１７からの入力結果等を表示するディスプレイ２４が形成されている。
【００２１】
図３に示すように、ディスプレイ（表示部）２４は横長の表示画面を有し、表示画面の下部に設定された、入力編集を行うための入力編集領域２４ａと、表示画面の上部に設定された、確定した確定文字列（印刷画像）のレイアウトを逐一表示するレイアウト表示領域２４ｂと、を備えている。レイアウト表示領域２４ｂには、検出したテープ幅と設定したテープ長とが小さく数値表示されると共に、入力編集により確定した印刷画像が、設定された印刷書式（文字サイズ・フォント等）に対応したレイアウトイメージで表示される。これにより、印刷画像の大きさ、配置バランスおよび余白領域等を印刷処理前に確認できるようになっている。具体的には、図３に示すレイアウト表示領域２４ｂには、テープ幅（１８ｍｍ）およびテープ長（４．５ｃｍ）に対して、確定した印刷画像（「今日は」）のレイアウトが、テープに相当する部分を陰ドットとし、文字に相当する部分を陽ドットとして反転表示されている。また、レイアウト表示領域２４ｂには、入力編集中は、レイアウト表示に代えて入力編集された文字等から予測される複数の予測変換候補が表示されるようになっている（詳細は後述する）。なお、ディスプレイ２４には、上記表示内容に加え、設定キー１５ａ等の操作により、各種設定メニュー等も表示される。
【００２２】
開閉蓋２１の内部には、テープカートリッジＣが装着されるカートリッジ装着部３１が窪入形成されており、カートリッジ装着部３１には、テープカートリッジＣから繰り出される処理テープＴに印刷処理を行う印刷ヘッド４１が配設されている（図２参照）。
【００２３】
装置ケース１２の左側部には、カートリッジ装着部３１と装置外部とを連通するテープ排出口３２が形成され、このテープ排出口３２に臨んで装置ケース１２には、処理テープＴを切断するためのカッタユニット３３が内蔵されている。また、図１および図２では省略したが、装置ケース１２の内部には、装置本体１１を統括制御する制御部６０（図４参照）を構成する回路基板が搭載されている。
【００２４】
カートリッジ装着部３１には、発熱素子を有しヘッドカバー４０に覆われた印刷ヘッド４１と、後述するテープリール５１の位置決めをする位置決め突起４２と、テープカートリッジＣの処理テープＴおよびインクリボンＲを送り、印刷ヘッド４１に対峙するプラテン駆動軸４３およびインクリボンＲを巻き取る巻取り駆動軸４４とが突設されている。また、カートリッジ装着部３１には、カートリッジケースＣの裏面に形成された複数の被検出孔に対応してテープ識別センサ２６（図４参照）が設けられている。また、カートリッジ装着部３１には、プラテン駆動軸４３および巻取り駆動軸４４を駆動する印刷送りモータ４６（図４参照）や減速ギヤ列等（図示省略）が内蔵されている。
【００２５】
テープカートリッジＣは、カートリッジケース５０の内部に、処理テープＴを巻回したテープリール５１と、右下部にインクリボンＲを巻回したリボン繰出しリール５２およびリボン巻取りリール５３とを収容して構成されている。また、テープリール５１の左下部には、印刷ヘッド４１を覆うヘッドカバー４０に差し込むための貫通開口５４が形成されている。さらに、処理テープＴとインクリボンＲとが重なる部分に対応し、上記プラテン駆動軸４３に嵌合して回転駆動するプラテンローラ５５が配置されている。
【００２６】
テープカートリッジＣをカートリッジ装着部３１に装着すると、ヘッドカバー４０に貫通開口５４が、位置決め突起４２にテープリール５１が、巻取り駆動軸４４にリボン巻取りリール５３が、プラテン駆動軸４３にプラテンローラ５５が、それぞれ差し込まれ、この状態で開閉蓋２１を閉蓋すると、これに連動して、印刷ヘッド４１が、処理テープＴおよびインクリボンＲを挟み込んでプラテンローラ５５に当接し、印刷待機状態となる。入力編集により印刷データが生成されると、生成された印刷データに基づき、プラテン駆動軸４３および巻取り駆動軸４４が同期回転して、処理テープＴおよびインクリボンＲを送りながら、印刷ヘッド４１により印刷処理が行われる。これと共に、リボン繰出しリール５２から繰り出されたインクリボンＲは、貫通開口５４の開口壁を周回してリボン巻取りリール５３に巻き取られる。印刷処理後の処理テープＴは、印刷済み部分がフルカッタ３４により切断され、切断された処理テープＴがラベルとしてテープ排出口３２から外部に排出される。
【００２７】
処理テープＴは、テープ種別（テープ幅、テープ色、インクリボン色、テープ材質など）が異なる複数種のものが用意されており、裏面に粘着剤層が塗着された記録テープＴ１と、この粘着剤層により記録テープＴ１に貼付された剥離テープＴ２とから構成されている。カートリッジケース５０の裏面には、小さな複数の被検出孔（図示省略）が形成され、上記のテープ識別センサによってこの複数の被検出孔が検出されることにより、処理テープＴの種別を識別できるようになっている。
【００２８】
次に、図４を参照し、テープ印刷装置１の制御系について説明する。テープ印刷装置１は、操作部６１と、検出部６２と、印刷部６３と、切断部６４と、駆動部６５と、これら各部に接続して、テープ印刷装置１全体を制御する制御部６０と、を有している。
【００２９】
操作部６１は、キーボード１７上の文字入力キー１３、機能キー１５等からのデータ入力や、レイアウトキー１５ｆによる印刷データ等のディスプレイ２４への表示など、ユーザインタフェースとして機能する。検出部６２は、テープ識別センサ２６を有し、処理テープＴ（テープカートリッジＣ）の種別を検出する。印刷部６３は、テープカートリッジＣ、印刷ヘッド４１および印刷送りモータ４６を有し、生成された印刷データに基づいて印刷ヘッド４１により処理テープＴに印刷処理を行い、処理テープＴおよびインクリボンＲを搬送しながら処理テープＴ上に、生成された印刷データに基づいて印刷を行う。切断部６４は、処理テープＴを切断するフルカッタ３４及びこれを駆動するフルカッタモータ３５からなるカッタユニット３３を有し、印刷部６３で印刷処理済みの処理テープＴを所定長さとなるように切断し、ラベルを作成する。駆動部６５は、ディスプレイドライバ６６、ヘッドドライバ６７、印刷送りモータドライバ６８およびカッタモータドライバ６９を有し、各部を駆動する。
【００３０】
制御部６０は、ＣＰＵ（Central Processing Unit）７１と、ＣＰＵ７１で各種制御処理を行うための制御プログラムを有するＲＯＭ（Read Only Memory）７２、各種制御処理の作業領域となるＲＡＭ（Random Access Memory）７３と、テープ印刷装置１の各部と入力データや制御信号の入出力を行う入出力制御装置（以下、「ＩＯＣ：Input Output Controller」と称する）７４を備え、これらは互いに内部バス７５により接続されている。ＲＯＭ７２内には、仮名漢字、ローマ字、数字、絵文字等の複数の文字列が登録された予測変換辞書７２ａと、予測変換辞書７２ａに基づいて、入力された文字列のうち未確定の文字列（未確定文字列）から予測される文字列（予測変換候補）に変換する予測変換プログラム７２ｂと、予測変換候補をディスプレイ２４のレイアウト表示領域２４ｂに表示する予測変換表示制御プログラム７２ｃと、が記憶されている。そして、ＣＰＵ７１は、上記の構成により、ＲＯＭ７２内の各種制御プログラムに従って、ＩＯＣ７４を介してテープ印刷装置１内の各部から各種信号・データを入力する。また、入力された各種信号・データに基づいてＲＡＭ７３内の各種データを処理し、ＩＯＣ７４を介してテープ印刷装置１内の各部に各種信号・データを出力することにより、入力編集処理（印刷データ生成処理）や印刷切断処理の制御を行う。
【００３１】
具体的には、ＣＰＵ７１は、入力編集中において、文字入力キー１３により文字等が入力されると、ディスプレイ２４の入力編集領域２４ａに入力された文字等を表示すると共に、ＲＯＭ７２内の予測変換プログラム７２ｂに従い、予測変換辞書７２ａから、入力された文字列のうち未確定文字列の先頭の一文字または数文字から予測される文字列を複数の予測変換候補として抽出する。そして、予測変換表示制御プログラム７２ｃに従い、これら抽出した複数の予測変換候補をレイアウト表示領域２４ｂに表示する（変換候補表示手段）。また、ＣＰＵ７１は、確定キー１５ｃの押下により、予測変換候補から所望の文字列を選択し未確定文字列を確定すると（確定手段）、入力編集領域２４ａに確定した文字列（確定文字列）を表示すると共に、レイアウト表示領域２４ｂにおいて、予測変換候補の表示から確定文字列（つまり、印刷画像）の印刷レイアウトの表示に切替える（切替手段）。
【００３２】
次に、図５のディスプレイ２４の表示遷移図を参照して、入力・編集におけるテープ印刷装置１の制御動作について説明する。
【００３３】
ユーザにより、テープ印刷装置１の電源がＯＮ状態にされると、ディスプレイ２４に、レイアウト表示領域２４ｂおよび入力編集領域２４ａが表示される（図５（ａ）参照）。ここでは、レイアウト表示領域２４ｂの左側には、テープ識別センサ２６により検出された処理テープＴのテープ幅（１８ｍｍ）、および手動あるいは自動設定されたテープ長が表示されると共に、入力編集領域２４ａには、入力開始位置を示すカーソル８１が表示される。以下の入力編集例では、図６に示すラベル「愛」８０を作成するものとして説明を行う。
【００３４】
ユーザが、文字入力キー１３を押下して、文字「あ」（ローマ字入力にあっては「Ａ」）を入力すると、ＣＰＵ７１は、入力編集領域２４ａに入力された入力文字「あ」８２を表示すると共に、これに対応してレイアウト表示領域２４ｂに、入力された未確定文字「あ」８２から予測される複数の予測変換候補８３を表示する（図５（ｂ）参照）。ここで、未確定文字は、入力された文字列が確定キー１５ｃにより確定されていない状態の文字列を指し、確定文字列は、確定キー１５ｃにより予測変換候補から確定された状態の文字列を指す。また、入力文字「あ」８２を誤入力した場合、削除キー１５ｄを押下して入力文字「あ」８２を削除すると、ディスプレイ２４は、図５（ａ）に示す初期状態に戻る。また、入力文字等から予測される予測変換候補８３が無い場合には、ディスプレイ２４は、図５（ａ）の初期状態のまま変わらない。
【００３５】
次に、ユーザは、上下キー１５ｂを操作して、複数の予測変換候補８３から所望の変換候補を選択し、確定キー１５ｃを操作して、予測変換候補８３から文字列を確定する（図５（ｃ），（ｄ）参照）。このとき、レイアウト表示領域２４ｂの左側には、予測変換候補数が表示されており、本実施形態では、予測変換候補８３が３０個あることが示されている。また、複数の予測変換候補８３の中で、選択されている予測変換候補は網掛け表示される（例えば、図５（ｃ）に示す予測変換候補「相手」８３ａ）。本実施形態では、ユーザは、３０個の予測変換候補８３の選択肢から２番目に表示される予測変換候補「愛」８３ｂを選択している。そして、ＣＰＵ７１は、入力編集領域２４ａに、確定文字列「愛」８４ａを表示すると共に、レイアウト表示領域２４ｂに確定文字列「愛」の印刷レイアウト８４ｂを表示する（図５（ｅ）参照）。この後、入力編集処理を続ける場合には、上記同様の処理を繰り返す。一方、確定文字列（印刷画像）を印刷する場合には、印刷キー１５ｅの押下により、印刷部６３および切断部６４により印刷切断処理が実行され、ラベル８０（図６参照）が生成される。
【００３６】
以上のように、本実施形態に係るテープ印刷装置１によれば、確定文字列の印刷レイアウトを表示するレイアウト表示領域２４ｂに、予測変換機能による複数の予測変換候補を同時に表示する。すなわち、入力編集中には、レイアウト表示領域２４ｂを、予測変換候補表示領域として使うことができるため、表示部全体が小さい場合であっても、表示領域を有効利用することができると共に、容易に入力編集作業を行うことができる。また、予測変換候補から所望の文字列（印刷画像）を確定すると、レイアウト表示領域２４ｂには、予測変換候補表示から確定文字列の印刷レイアウト表示に切替えられるので、テープ幅やテープ長に対する印刷画像データの大きさや配置バランス等を、印刷実行前に確認することができ、レイアウト表示機能が損なわれることがない。
【００３７】
なお、入力編集中において、予測変換候補表示とレイアウト表示とを、機能キー１５のキー操作で切替えられるようにしてもよい。また、機能キー１５のキー操作に代えて、レイアウトキー１５ｆを操作することにより切り替えられるようにしても良いし、レイアウトキー１５ｆとは別に専用の切替キーを設けても良い。
【００３８】
また、本実施形態では、レイアウト表示の２行表示に合わせて、予測変換候補表示が２行表示としたが、レイアウト表示の１行表示やレイアウト表示の３行表示に合わせて、予測変換候補表示もそれぞれ１行表示や３行表示としてもよい。また、これに限定されずに、予測変換候補表示は常に２行表示としてもよい。
【００３９】
次に、本発明の第２実施形態に係るテープ印刷装置１について説明する。本実施形態のテープ印刷装置１では、上記第１実施形態と異なり、制御部６０のＲＯＭ７２内に、未確定文字列の確定をトリガとして、確定文字列に繋がる繋がり予測候補を表示する繋がり予測変換候補表示制御プログラム７２ｄを、更に備えている。ユーザは、設定キー１５ａを操作して、予測変換候補から文字列が確定した場合、確定文字列の印刷レイアウトの表示に切替えるレイアウト表示モードと、繋がり予測候補を表示する繋がり予測変換候補表示モードと、のいずれかのモードを設定する（モード設定手段）。すなわち、ユーザは、印刷画像が確定後、これの印刷レイアウトを表示させるレイアウト表示モードと、繋がり予測候補がある場合には、レイアウト表示に比して繋がり予測候補を優先表示させる繋がり予測変換候補表示モードとの、いずれかのモードを選択する。
【００４０】
次に、図７ないし図９を参照し、繋がり予測変換候補表示モードが設定された場合におけるテープ印刷装置１の制御動作を説明する。なお、ここでは、図９に示すラベル「相性占い」９５を作成する場合を例に挙げて説明する。
【００４１】
テープ印刷装置１の電源がＯＮ状態にされると、ディスプレイ２４には、レイアウト表示領域２４ｂおよび入力編集領域２４ａが表示される（図８（ａ）参照）。そして、ユーザは、設定キー１５ａを操作して、確定した予測変換候補の印刷画像のレイアウトを表示するレイアウト表示モードと、繋がり予測候補を表示する繋がり予測変換候補表示モードと、の２つのモードから繋がり予測変換候補表示モードに設定する（Ｓ１）。
【００４２】
文字入力キー１３により、文字「あ」８２が入力されると（Ｓ２）、入力編集領域２４ａに入力文字「あ」８２を表示し、これに対応してレイアウト表示領域２４ｂに、入力された未確定文字「あ」８２に基づいて予測変換候補８３を表示する（Ｓ３：図８（ｂ）参照）。そして、上下（左右）キー１５ｂを操作して、複数の予測変換候補８３から変換候補「相性」８３ｄを選択し、確定キー１５ｃにより確定する（Ｓ４：図８（ｃ），（ｄ）参照）。
【００４３】
次に、入力編集領域２４ａに確定文字列「相性」９１を表示し、この確定文字列「相性」９１に繋がる繋がり予測候補がある場合（Ｓ５：Ｙｅｓ）、ＣＰＵ７１は、レイアウト表示領域２４ｂに、確定文字列「相性」９１に繋がる繋がり予測候補９０を表示する（Ｓ６：図８（ｅ）参照）。そして、Ｓ４と同様に、上下キー１５ｂおよび確定キー１５ｃを操作して、複数の繋がり予測候補９０から変換候補「占い」９０ａを選択して確定する（Ｓ７）。これにより、入力編集領域２４ａに、確定文字列「相性占い」９２ａを表示すると共に、レイアウト表示領域２４ｂに確定文字列「相性占い」の印刷レイアウト９２ｂを表示する（図８（ｆ）参照）。そして、印刷キー１５ｅの押下により、印刷部６３および切断部６４により印刷切断処理が行われ、ラベル９５が生成される。また、Ｓ５において、繋がり予測候補９０が無い場合（Ｓ５：Ｎｏ）、確定文字列「相性」９１の印刷レイアウトが、レアイアウト表示領域２４ｂに表示される（Ｓ８）。なお、Ｓ７において、確定された確定文字列に繋がる繋がり予測候補９０がさらにある場合には、Ｓ５からＳ７までの処理が同様に繰り返される。
【００４４】
なお、上記図７および図８の説明では、レイアウト表示モードまたは繋がり予測変換候補表示モードのモード設定を、入力編集動作の始めに行う場合を例に挙げて説明したが、これに限定されるものではなく、入力編集中（例えば、図７のＳ４および図８（ｄ）に示す予測変換候補から所望の変換候補を確定した後、図８（ｅ）の表示に切り替わる前）に上記いずれかのモードを設定することも可能である。
【００４５】
また、上記の実施形態に示した、テープ印刷装置１の各構成要素（予測変換手段、切替手段およびモード設定手段）をプログラムとして提供することも可能である。また、そのプログラムを各種記録媒体（ＣＤ−ＲＯＭ、フラッシュメモリ等）に格納して提供することも可能である。
【図面の簡単な説明】
【００４６】
【図１】本発明の実施形態に係るテープ印刷装置の閉蓋状態における外観斜視図である。
【図２】本実施形態に係るテープ印刷装置の開蓋状態における外観斜視図である。
【図３】ディスプレイの構成を示す模式図である。
【図４】テープ印刷装置の制御ブロック図である。
【図５】テープ印刷装置の入力編集中における制御動作を説明するためのディスプレイの表示遷移図である。
【図６】作成されたラベルの模式図である。
【図７】本発明の第２実施形態に係るテープ印刷装置の制御動作を説明するためのフローチャートである。
【図８】テープ印刷装置の入力編集中における制御動作を説明するためのディスプレイの表示遷移図である。
【図９】作成されたラベルの模式図である。
【符号の説明】
【００４７】
１…テープ印刷装置  ２４…表示部  ２４ｂ…レイアウト表示領域  ８３…予測変換候補  ９０…繋がり予測候補  Ｔ…印刷テープ
【図１】
2008296397.tif 000003
【図２】
2008296397.tif 000004
【図３】
2008296397.tif 000005
【図４】
2008296397.tif 000006
【図５】
2008296397.tif 000007
【図６】
2008296397.tif 000008
【図７】
2008296397.tif 000009
【図８】
2008296397.tif 000010
【図９】
2008296397.tif 000011